(57)【要約】【課題】血圧情報測定装置が備える測定用カフ１０６の巻き付け状態を検出する。【解決手段】血圧情報測定措置１００は、腕帯１０２と、荷重検知シート１０４と、腕帯１０２と荷重検知シート１０４との間に配置されて生体に対して圧迫力を与える測定用カフ１０６と、荷重検知シート１０４を駆動するための荷重検知シート駆動回路１２８と、荷重検知シート１０４からの出力に基づいて測定用カフ１０６の巻き付け状態を判定するＣＰＵ１２０とを備える。ＣＰＵ１２０は、圧迫力の分布状態に基づいて測定用カフ１０６の生体に対する装着状態を検出する検出部１５１と、圧迫力が正常に分布している場合に血圧情報を導出する導出部１５２とを含む。【選択図】図１
2009297161.tif 000002
【特許請求の範囲】
【請求項１】
カフと、
前記カフの表面のうち前記カフが生体に圧迫力を与える面に配置されて、荷重を検知する荷重検知手段と、
前記荷重検知手段によって検知される荷重に基づいて前記生体に対する圧迫力の分布状態を検出する分布状態検出手段と、
前記圧迫力が正常に分布している場合に前記生体の血圧情報を導出する導出手段とを備える、血圧情報測定装置。
【請求項２】
前記荷重検知手段は、荷重を検知するための複数の測定領域を含み、
前記分布状態検出手段は、前記複数の測定領域の各々からの出力に基づいて前記分布状態を検出する、請求項１に記載の血圧情報測定装置。
【請求項３】
前記分布状態に基づいて、前記カフの前記生体に対する装着状態を検出する装着状態検出手段をさらに備える、請求項１または請求項２に記載の血圧情報測定装置。
【請求項４】
前記装着状態検出手段は、前記カフの前記生体に対する巻き付け状態を検出し、
前記巻き付け状態は、正常、めくれ、ねじれ、しわ、またはカフの固定忘れ、のいずれかを含む、請求項３に記載の血圧情報測定装置。
【請求項５】
前記装着状態検出手段は、前記カフの上下の装着間違いを検出する、請求項３に記載の血圧情報測定装置。
【請求項６】
前記カフの巻き付け状態が不良であるときの巻き付け状態と、前記血圧情報測定装置による測定のための同一の処理シーケンスにおける前記カフの巻き直し後の状態とを比較する比較手段をさらに備える、請求項１〜５のいずれかに記載の血圧情報測定装置。
【請求項７】
前記分布状態に基づいて、前記生体の腕周を算出する算出手段と、
前記算出手段によって算出された腕周を格納する記憶手段とをさらに備える、請求項１〜６のいずれかに記載の血圧情報測定装置。
【請求項８】
前記記憶手段は、複数の生体の各々についての腕周を格納しており、
前記血圧情報測定装置は、前記分布状態検出手段によって検出された分布状態と、前記記憶手段に格納されている各前記腕周とに基づいて、生体を推定する推定手段をさらに備える、請求項７に記載の血圧情報測定装置。
【請求項９】
荷重の時系列変化に基づいて生体の体動を検知する体動検知手段をさらに備える、請求項１〜８のいずれかに記載の血圧情報測定装置。
【請求項１０】
前記カフは、表示装置を含み、
前記血圧情報測定装置は、前記カフの巻き付け状態を示す情報を前記表示装置に表示させる表示制御手段をさらに備える、請求項１〜９のいずれかに記載の血圧情報測定装置。
【請求項１１】
カフを生体に巻き付けるステップと、
前記カフの表面のうち前記カフが生体に圧迫力を与える面において、前記圧迫力に基づく荷重を検知するステップと、
前記荷重に基づいて前記生体に対する圧迫力の分布状態を検出するステップと、
前記圧迫力が正常に分布している場合に前記生体の血圧情報を導出するステップとを含む、血圧情報を測定するための方法。
【発明の詳細な説明】
【技術分野】
【０００１】
本発明は血圧情報の取得に関し、特に、カフが巻かれた生体から血圧情報を取得する技術に関する。
【背景技術】
【０００２】
上腕の脈波から動脈硬化を判定しようとする技術として、たとえば、特開２００７−０４４３６２号公報（特許文献１）は、血圧測定用のカフと脈波測定用のカフの二重構造を備えた技術を開示している。
【０００３】
また、カフ上流からのノイズを遮断して正確な血圧値を測定しようとする技術として、たとえば、特開２０００−０７９１０１号公報（特許文献２）は、血圧測定用として圧迫用と測定用のカフを分離した二重構造を持つ技術を開示している。
【０００４】
また、動脈への圧迫力を均一にし、正確な血圧測定をしようとする技術として、たとえば、特開２００４−２５４７１７号公報（特許文献３）は、圧迫用カフと測定用カフを積層状態に備えた技術を開示している。
【０００５】
さらに、脈波測定可能なカフ構造・装置として、特開２００６−３３４１５３号公報（特許文献４）は、測定用カフと圧迫用カフを分離した構造を開示している。
【特許文献１】特開２００７−０４４３６２号公報
【特許文献２】特開２０００−０７９１０１号公報
【特許文献３】特開２００４−２５４７１７号公報
【特許文献４】特開２００６−３３４１５３号公報
【発明の開示】
【発明が解決しようとする課題】
【０００６】
しかしながら、特開２００７−０４４３６２号公報に開示された技術によると、カフの巻き付け方法は被験者依存となることから正しく巻き付けられているということが前提であり、カフの巻き付け状態を検知できる機能・構造はない為、ぴったり巻きでない状態のまま被験者が測定してしまうことにより正確な脈派・血圧を測定できない可能性がある。
【０００７】
また、特開２０００−０７９１０１号公報もしくは特開２００４−２５４７１７号公報に開示された技術によると、生体に対するカフ装着時の中心位置のずれやカフの巻き方のばらつきが測定結果に影響を与え、カフの巻き方の検知機能は備えていないことから、正確に脈波・血圧を検出できない可能性がある。
【０００８】
特開２００６−３３４１５３号公報に開示された技術によると、カフの装着の巻き付け不良（ゆる巻き、腕に対する不均一な巻き付け）に対しては、構造上カフ全体の圧迫力が変更されるに過ぎない。
【０００９】
本発明は、上述のような問題点を解決するためになされたものであって、その目的は、カフの巻き付け状態からカフの圧迫力が正確な測定に適した状態であるか否かを検出できる血圧情報測定装置を提供することである。
【００１０】
他の目的は、カフの巻きつけの修正が必要な場合に修正が必要な情報を通知する血圧情報測定装置を提供することである。
【００１１】
本発明の他の目的は、カフの巻き付け状態からカフの圧迫力が正確な測定に適した状態であるか否かを検出して血圧情報を測定するための方法を提供することである。
【００１２】
他の目的は、カフの巻きつけの修正が必要な場合に修正が必要な情報を通知して血圧情報を測定するための方法を提供することである。
【課題を解決するための手段】
【００１３】
この発明のある局面に従う血圧情報測定装置は、カフと、カフの表面のうちカフが生体に圧迫力を与える面に配置されて、荷重を検知する荷重検知手段と、荷重検知手段によって検知される荷重に基づいて生体に対する圧迫力の分布状態を検出する分布状態検出手段と、圧迫力が正常に分布している場合に生体の血圧情報を導出する導出手段とを備える。ここで、「血圧情報」とは、生体の測定によって得られる「血圧に関連する情報」をいい、具体的には、血圧値、脈波波形、心拍数、等が該当する。
【００１４】
好ましくは、荷重検知手段は、荷重を検知するための複数の測定領域を含む。分布状態検出手段は、複数の測定領域の各々からの出力に基づいて分布状態を検出する。
【００１５】
好ましくは、血圧情報測定装置は、分布状態に基づいて、カフの生体に対する装着状態を検出する装着状態検出手段をさらに備える。
【００１６】
好ましくは、装着状態検出手段は、カフの生体に対する巻き付け状態を検出する。巻き付け状態は、正常、めくれ、ねじれ、しわ、またはカフの固定忘れ、のいずれかを含む。
【００１７】
好ましくは、装着状態検出手段は、カフの上下の装着間違いを検出する。
好ましくは、血圧情報測定装置は、カフの巻き付け状態が不良であるときの巻き付け状態と、血圧情報測定装置による測定のための同一の処理シーケンスにおけるカフの巻き直し後の状態とを比較する比較手段をさらに備える。
【００１８】
好ましくは、血圧情報測定装置は、分布状態に基づいて、生体の腕周を算出する算出手段と、算出手段によって算出された腕周を格納する記憶手段とをさらに備える。
【００１９】
好ましくは、記憶手段は、複数の生体の各々についての腕周を格納している。血圧情報測定装置は、分布状態検出手段によって検出された分布状態と、記憶手段に格納されている各腕周とに基づいて、生体を推定する推定手段をさらに備える。
【００２０】
好ましくは、血圧情報測定装置は、荷重の時系列変化に基づいて生体の体動を検知する体動検知手段をさらに備える。
【００２１】
好ましくは、カフは、表示装置を含む。血圧情報測定装置は、カフの巻き付け状態を示す情報を表示装置に表示させる表示制御手段をさらに備える。
【００２２】
この発明の他の局面に従うと、血圧情報を測定するための方法が提供される。この方法は、カフを生体に巻き付けるステップと、カフの表面のうちカフが生体に圧迫力を与える面において、圧迫力に基づく荷重を検知するステップと、荷重に基づいて生体に対する圧迫力の分布状態を検出するステップと、圧迫力が正常に分布している場合に生体の血圧情報を導出するステップとを含む。
【００２３】
他の局面において、血圧情報測定装置は、生体の情報を取得するためにカフが生体に正常に装着されているか否かを分布状態に基づいて判断する判断手段をさらに備えてもよい。
【００２４】
好ましくは、血圧情報測定装置は、カフが生体に正常に装着されていない場合にカフを正常に装着するための案内を教示する教示手段をさらに備えてもよい。
【００２５】
好ましくは、血圧情報測定装置は、生体を選択するための入力を受け付ける入力手段と、記憶手段に格納されている腕周に基づいて、選択された生体が血圧情報測定装置に登録されている生体に一致するか否かを判断する生体判断手段とをさらに備えてもよい。
【００２６】
好ましくは、導出手段は、体動が検知されたときのカフの圧迫力に基づいて、生体の血圧情報を再度導出してもよい。
【００２７】
好ましくは、血圧情報測定装置は、当該血圧情報測定装置によって導出される情報を表示する表示手段をさらに備えてもよい。
【００２８】
好ましくは、血圧情報測定装置は、カフの巻き付け状態の判断機能を有効化又は無効化するための切替手段をさらに備えてもよい。
【００２９】
好ましくは、血圧情報測定装置は、当該血圧情報測定装置によって導出される情報を音声で出力する音声出力手段をさらに備えてもよい。
【発明の効果】
【００３０】
本発明のある局面によると、カフの巻き付け状態からカフの圧迫力が正確な測定に適した状態であるか否かを検出できる。本発明の他の局面によると、カフの巻きつけの修正が必要な場合に修正が必要な情報が通知される。
【発明を実施するための最良の形態】
【００３１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３２】
＜第１の実施の形態＞
本発明の第１の実施の形態に係る血圧情報測定装置１００は、ぴったり巻き判定・表示（以下「第１の局面」）と、カフ圧力の印加前におけるカフの巻き付け不良の検出（以下「第２の局面」）と、カフ圧力の印加後におけるカフ巻き付け不良の検出（以下「第３の局面」）とを、個別に又は組み合わせて実現し得る。
【００３３】
（第１の局面−ぴったり巻き判定・表示）
本実施の形態の第１の局面に係る血圧情報測定装置１００は、測定用カフ１０６の上側（生体側）に設けた荷重検知シート１０４により、測定用カフ１０６を巻き付けた際の圧迫力の分布を検知する機能と、その荷重の分布状態から測定用カフ１０６の「ぴったり巻き」（圧迫力が正確な測定に適した状態）の有無を判定する機能と、その結果を本体モニタ１４０に表示させることにより、または、その結果に基づく音声案内をスピーカ１３２を介して行うことにより測定者に通知する機能とを有する。
【００３４】
（第２の局面−カフ圧力印加前におけるカフの巻き付け不良の検出）
第２の局面に係る血圧情報測定装置１００は、測定用カフ１０６が生体の腕に巻き付けられた後であって、測定用カフ１０６への「初期圧力印加前」に荷重検知シート１０４の荷重の分布状態を検知することにより、測定用カフ１０６の初期の巻き付け不良を検出する機能と、「ぴったり巻き」でない場合、その旨を測定者に通知する機能とを含む。ここで、巻き付け不良とは、測定に影響を及ぼすような状態であって、「ゆる巻き」、「きつ巻き」、「カフのめくれ」、「ねじれ」、「しわ」、「（面ファスナによる）固定忘れ」、「上下装着間違い」等を含み得る。
【００３５】
測定者は、巻き付け状態を確認し、必要に応じて測定用カフ１０６を巻き直して巻き付け状態を修正する。なお、測定者が測定用カフ１０６の巻き付け状態に問題が無いことを確認した場合、血圧情報測定装置１００は、測定用カフ１０６の状態が「ぴったり巻き」であるとして、次のモード（測定のための加圧モード）に移行することができる。また、血圧情報測定装置１００は、「ぴったり巻き」を検出した場合には、血圧・脈派測定を実行する。
【００３６】
（第３の局面−カフ圧力印加後におけるカフの巻き付け不良の検出）
第３の局面に係る血圧情報測定装置１００は、測定用カフ１０６を巻き付け後、測定用カフ１０６への「初期圧力印加後」に、第２の局面における処理と同様に測定用カフ１０６の巻き付け不良を検出する機能と、その荷重分布状態から圧迫が必要な範囲（腕周）に対して、測定用カフ１０６が適正に膨張して生体を圧迫していることを確認する機能とを有している。
【００３７】
測定用カフ１０６が「ぴったり巻き」でない場合、血圧情報測定装置１００は、その旨を測定者に通知すると共に排気弁を開放し、測定用カフ１０６を収縮（圧力開放）させる。第２の局面の場合と同様に測定者が測定用カフ１０６の巻き付け状態に問題の無いことを確認した場合、血圧情報測定装置１００は、「ぴったり巻き」として次のモードに移行することができる。血圧情報測定装置１００は、「ぴったり巻き」を検出した場合には、血圧・脈派測定を実行する。
【００３８】
［ハードウェア構成］
まず、図１を参照して、本発明の第１の実施の形態に係る血圧情報測定装置１００の構成について説明する。図１は、血圧情報測定装置１００のハードウェア構成の概略を表わすブロック図である。血圧情報測定装置１００は、腕帯１０２と、荷重検知シート１０４と、測定用カフ１０６と、本体１１０とを備える。本体１１０は、ＣＰＵ（Central  Processing  Unit）１２０と、排気弁駆動回路１２１と、排気弁１２２と、エアポンプ駆動回路１２３と、エアポンプ１２４と、圧力センサ１２５と、増幅器１２６と、Ａ／Ｄ（Analog  to  Digital）変換器１２７と、荷重検知シート駆動回路１２８と、フラッシュメモリ１２９と、ＲＡＭ（Random  Access  Memory）１３０と、操作スイッチ１３１と、スピーカ１３２と、本体モニタ１４０とを備える。
【００３９】
本実施の形態に係るＣＰＵ１２０は、検出部１５１と、導出部１５２と、装着状態判断部１５３と、生体判断部１５４と、推定部１５５と、表示制御部１５６と、切替部１５７とを含む。
【００４０】
排気弁駆動回路１２１は、ＣＰＵ１２０から送られる命令に基づいて、排気弁１２２の開閉を制御する。エアポンプ駆動回路１２３は、ＣＰＵ１２０から送られる命令に基づいてエアポンプ１２４を駆動する。エアポンプ１２４は、測定用カフ１０６に対して空気を供給する。圧力センサ１２５は、測定用カフ１０６における空気圧を検知し、その検知した圧力を増幅器１２６に送出する。増幅器１２６は、圧力センサ１２５から送られた信号を増幅し、増幅後の信号をＡ／Ｄ変換器１２７に送出する。Ａ／Ｄ変換器１２７は、増幅器１２６から出力された信号を増幅して、その増幅後の信号をＣＰＵ１２０に送出する。
【００４１】
荷重検知シート駆動回路１２８は、ＣＰＵ１２０からの命令に基づいて荷重検知シート１０４を駆動する。ある局面において、荷重検知シート駆動回路１２８は、荷重検知シート１０４とＣＰＵ１２０との間を導通状態に切り換える。荷重検知シート１０４からの出力は、ＣＰＵ１２０に入力される。
【００４２】
フラッシュメモリ１２９は、血圧情報測定装置１００を作動させるために予め準備されたデータまたはプログラムを格納している。たとえば、フラッシュメモリ１２９は、本実施の形態に係るＣＰＵ１２０に固有の処理を実行させるためのファームウェア、アプリケーションプログラム等を格納している。アプリケーションプログラムには、血圧測定プログラム等が含まれる。また、フラッシュメモリ１２９は、さらに、ＣＰＵ１２０によって生成されたデータ（たとえば被測定者の血圧値、血圧の測定日時など）を格納する。
【００４３】
ＲＡＭ１３０は、ＣＰＵ１２０によって生成されたデータを揮発的に（一時的に）格納する。格納されるデータは、たとえば、荷重検知シート１０４によって検知された荷重、ＣＰＵ１２０によって導出された血圧値などを含む。これらのデータは、フラッシュメモリ１２９にも書き込まれ得る。
【００４４】
操作スイッチ１３１は、血圧情報測定装置１００に対する操作入力を受け付ける。操作スイッチ１３１は、ある局面において、本体１１０の筐体に設けられたボタン、本体モニタ１４０の表示領域に構成されるタッチパネル式のスイッチなどにより実現される。
【００４５】
スピーカ１３２は、ＣＰＵ１２０から出力される信号に基づいて音声を出力する。出力される音声は、たとえば、血圧情報測定装置１００の状態を示す音声を含む。
【００４６】
ある局面において、荷重検知シート１０４は、測定用カフ１０６の表面のうち当該カフが生体（測定者）に圧迫力を与える面に配置されて、荷重を検知する。ＣＰＵ１２０は、検出部１５１として、荷重検知シート１０４によって検知される荷重に基づいて当該生体に対する圧迫力の分布状態を検出する。ＣＰＵ１２０は、導出部１５２として、当該圧迫力が正常に分布している場合に、当該生体の血圧情報を導出する。
【００４７】
他の局面において、荷重検知シート１０４は、荷重を検知するための複数の測定領域を含む。ＣＰＵ１２０は、当該複数の測定領域の各々からの出力に基づいて生体に対する圧迫力の分布状態を検出する。
【００４８】
他の局面において、ＣＰＵ１２０は、装着状態判断部１５３として、当該生体の情報を取得するために測定用カフ１０６が生体に正常に装着されているか否かを当該分布状態に基づいて判断する。
【００４９】
他の局面において、ＣＰＵ１２０は、当該生体に対する圧迫力の分布状態に基づいて、測定用カフ１０６の生体に対する装着状態を検出する。
【００５０】
他の局面において、ＣＰＵ１２０は、測定用カフ１０６の生体に対する巻き付け状態を検出する。ここで、巻き付け状態は、正常、めくれ、ねじれ、しわ、または、測定用カフ１０６の固定忘れ、の少なくとも１つを含む。
【００５１】
他の局面において、ＣＰＵ１２０は、測定用カフ１０６の上下の装着間違いを検出する。ここで、上とは、測定用カフ１０６が生体に巻きつけられた場合における当該生体と接する面の方向をいう。一方、下とは、生体に巻きつけられた測定用カフ１０６の外面方向をいう。
【００５２】
他の局面において、ＣＰＵ１２０は、当該生体に対する圧迫力の分布状態に基づいて生体の腕周を算出する。フラッシュメモリ１２９は、その算出された腕周を格納する。
【００５３】
他の局面において、操作スイッチ１３１は、血圧情報測定装置を使用する生体を選択するための入力を受け付ける。ＣＰＵ１２０は、生体判断部１５４として、フラッシュメモリ１２９に格納されている腕周に基づいて、選択された生体が血圧情報測定装置１００に登録されている生体に一致するか否かを判断する。
【００５４】
他の局面において、フラッシュメモリ１２９は、複数の生体の各々についての腕周を格納している。ＣＰＵ１２０は、推定部１５５として、検出した当該生体に対する圧迫力の分布状態と、フラッシュメモリ１２９に格納されている各腕周とに基づいて生体（測定者）を推定する。
【００５５】
本体モニタ１４０は、血圧情報測定装置１００によって導出される情報を表示する。表示される情報は、生体の血圧値、測定用カフ１０６の巻き付け状態が正常であるか否かを表わすメッセージ、測定用カフ１０６の再度の巻き付けを促すメッセージ、検出された測定用カフ１０６の巻き付け状態（正常、捲れ、捩じれ、皺、測定用カフ１０６の固定忘れなど）を含む。
【００５６】
他の局面において、測定用カフ１０６は、表示装置を含む。表示装置は、たとえば、腕帯１０２の表面に配置されたＬＥＤ（Light  Emitting  Diode）、有機ＥＬ（Electro  Luminescence）ディスプレイなどを含む。ＣＰＵ１２０は、測定用カフ１０６の巻き付け状態を示す情報を当該表示装置に表示させる。たとえば、ＣＰＵ１２０は、発光命令を送出することにより、腕帯１０２の外側に配置されているＬＥＤ（図示しない）を選択的に発光させる。発光するＬＥＤは、たとえば圧迫力が正常であることが検知された領域に配置されたＬＥＤである。
【００５７】
他の局面において、ＣＰＵ１２０は、切替部１５７として、測定用カフ１０６の巻き付け状態の判断機能を有効化、または無効化する。たとえば、ＣＰＵ１２０は、操作スイッチ１３１に対して与えられる有効化のための命令に基づいて巻き付け状態の判断処理を実行する。また、ＣＰＵ１２０は、無効化のための命令が与えられた場合には、当該巻き付け状態の判断処理を実行しない。
【００５８】
図２を参照して、本実施の形態に係る測定用カフ１０６の構成について説明する。図２（Ａ）および（Ｂ）は、当該カフの構成の概略を表わす図である。図２（Ａ）に示されるように、腕帯１０２は、血圧情報測定装置１００の使用者（たとえば血圧の測定者）の腕２００に巻き付けられる。ここで、荷重検知シート１０４は、測定用カフ１０６と腕２００との間に位置するように構成されている。
【００５９】
図２（Ｂ）は、図２（Ａ）の領域２１０を拡大した図である。荷重検知シート１０４は、測定用カフ１０６の上面に配置されている。ここで測定用カフ１０６の上面とは、生体に対する圧迫力が供給される面をいう。測定用カフ１０６は、腕帯１０２の上面に配置されている。図２（Ｂ）に示される構成により、腕帯１０２が生体の腕２００に巻かれると、荷重検知シート１０４は、測定用カフ１０６から生体２００に対して供給される圧迫力を検知することができる。
【００６０】
［カフの構成］
図３を参照して、本実施の形態に係る測定用カフ１０６の構成について説明する。図３は、複数の測定領域を有する測定用カフ１０６の構成を概念的に表わす図である。測定用カフ１０６は、荷重を検知するための複数の測定領域３１０，３２０，３３０，３４０，３５０，３６０，３７０，３８０を含む。図３に示される測定用カフ１０６は、測定領域として８つの測定領域を含んでいる。なお、測定領域の数は、図３から導かれるものに限られず、８つより少なくてもよく、また８つより多くてもよい。
【００６１】
［制御構造］
図４を参照して、本実施の形態に係る血圧情報測定装置１００の制御構造について説明する。図４は、血圧を測定するために測定者によって行なわれる動作と血圧情報測定装置１００によって行なわれる動作とを表わすフローチャートである。
【００６２】
ステップＳ４１０にて、測定者は自己の腕２００に測定用カフ１０６を巻き付ける。
ステップＳ４１２にて、ＣＰＵ１２０は、エアポンプ駆動回路１２３を駆動して、エアポンプ１２４によって空気を測定用カフ１０６に供給させる。予め規定された圧力値まで空気が供給されると、ＣＰＵ１２０は、荷重検知シート１０４からの出力に基づいて測定用カフ１０６における各測定領域の各々について荷重の分布を検出する。
【００６３】
ステップＳ４２０にて、ＣＰＵ１２０は、測定用カフ１０６の巻き付け状態の検知を行なう。巻き付け状態は、たとえば、測定用カフ１０６が「ぴったり巻き」であるか否か、「きつ巻き」であるか否か、あるいは「ゆる巻き」であるか否かを含む。ここで、ぴったり巻きとは、測定用カフ１０６による圧迫力が血圧の測定のために適切に供給されている状態をいう。きつ巻きとは、予め規定された圧迫力以上に測定用カフ１０６が生体の腕２００に巻き付けられている状態をいう。ゆる巻きとは、きつ巻きとは逆に、測定用カフ１０６が測定のために十分な巻き付けに至っていない状態をいう。
【００６４】
測定用カフ１０６の巻き状態の判定基準は、たとえば、以下のとおりである。
（第１判定基準）
第１判定基準は、「きつ巻き（過剰締め付け）」と「ゆる巻き（締め付け不足）」とを判定するために使用される。
【００６５】
この場合、荷重検知シート１０４の各測定ブロック（測定領域）ごとの圧力が、測定ブロック全体の平均値に対して一定の範囲内（たとえば、±１０％程度）であり、かつ、その平均値が一定値以上となる場合（圧迫力がほぼ均一であるが、全体的に締め付け荷重が高い状態）、ＣＰＵ１２０は、当該状態を「きつ巻き」と判定する。
【００６６】
一方、当該値が当該一定値以下となる場合（圧迫力がほぼ均一であるが、全体的に締め付け荷重が低い状態）、ＣＰＵ１２０は、測定用カフ１０６の状態を「ゆる巻き」と判定する。
【００６７】
なお、一定値とは、たとえば、きつ巻きについては３０ｍｍＨｇ程度、ゆる巻きについては５ｍｍＨｇ程度をいう。
【００６８】
（第２判定基準）
第２判定基準は、測定用カフ１０６が「過圧迫」であるか否かを判定するために使用される。具体的には、ＣＰＵ１２０は、荷重検知シート１０４からの検出荷重（圧力）分布に対して、以下の場合「過圧迫」と判定する。
【００６９】
・測定用カフ１０６への圧力印加前
ＣＰＵ１２０は、荷重検知シート１０４の各測定ブロックごとの圧力分布が測定ブロック全体の平均値と比較して一定の値（たとえば、２０ｍｍＨｇ程度）を超える圧力を検出した場合、測定用カフ１０６が「過圧迫」である、と判定する。
【００７０】
・測定用カフへの圧力印加後
ＣＰＵ１２０は、「測定用カフ１０６の内圧」と「荷重検知シートの各測定ブロックごとの圧力分布」との差が一定の値（たとえば、１０ｍｍＨｇ程度）を超える場所を検出した場合、測定用カフ１０６が「過圧迫」である、と判定する。
【００７１】
（第３判定基準）
第３判定基準は、測定用カフ１０６が「圧迫力不足」であるか否かを判定するために使用される。具体的には、ＣＰＵ１２０は、荷重検知シート１０４の検出荷重（圧力）分布に対して以下の場合に、測定用カフ１０６が「圧迫力不足」であると判定する。
【００７２】
・測定用カフへの圧力印加前
ＣＰＵ１２０は、荷重検知シート１０４の各測定ブロックごとの圧力分布が測定ブロック全体の平均値と比較して一定の値（たとえば、２０ｍｍＨｇ程度）を下回る圧力を検出した場合、測定用カフ１０６が「圧迫力不足」であると判定する。
【００７３】
・測定用カフへの圧力印加後
ＣＰＵ１２０は、「測定用カフ１０６の内圧」と「荷重検知シート１０４の各測定ブロックごとの圧力分布」との差が一定の値（たとえば、１０ｍｍＨｇ程度）を下回る場所を検出した場合、測定用カフ１０６が「圧迫力不足」であると判定する。
【００７４】
なお、測定用カフ１０６への圧力印加後では、生体への拘束が安定するため、測定用カフ１０６の巻き付け良否判定（過圧迫／圧迫不足）の際の圧力差（範囲）を小さくすることができる。
【００７５】
以上の第１〜第３判定基準は、生体の測定部位の体組成、測定用カフ１０６の生体に対する装着方法に起因して必要とされる。一方、以下に説明する第４〜第６判定基準は、荷重検知シート１０４によって検出される荷重の分布パターンによって判定される。具体的には、ＣＰＵ１２０は、血圧情報測定装置１００のフラッシュメモリ１２９に予め登録された分布パターンと、検出された分布パターンとを比較して、第４〜第６判定基準を適用する。
【００７６】
（第４判定基準）
第４判定基準は、測定用カフ１０６が「めくれ」、「ねじれ」、「しわ」であるか否かを判定するために使用される。
【００７７】
（第５判定基準）
第５判定基準は、測定用カフ１０６が固定忘れであるか否かを判定するために使用される。
【００７８】
（第６判定基準）
第６判定基準は、測定用カフ１０６の上下の装着が間違いであるか否かを判定するために使用される。
【００７９】
図４を再び参照して、ＣＰＵ１２０は、測定用カフ１０６が「ぴったり巻き」であると判定すると（ステップＳ４２０にてＯＫ）、制御をステップＳ４２２に切り換える。そうでない場合には（ステップＳ４２０にてＮＧ）、ＣＰＵ１２０は、制御をステップＳ４４０に切り換える。
【００８０】
ステップＳ４２２にて、ＣＰＵ１２０は、排気弁駆動回路１２１に対して排気弁１２２を閉じる命令を与える。排気弁駆動回路１２１は、その命令に基づいて排気弁１２２を閉じる。さらに、ＣＰＵ１２０は、エアポンプ駆動回路１２３に対して加圧命令を与える。エアポンプ駆動回路１２３は、その加圧命令に基づいてエアポンプ１２４を駆動する。エアポンプ１２４は、空気を測定用カフ１０６に供給する。
【００８１】
ステップＳ４２４にて、ＣＰＵ１２０は、測定用カフ１０６の加圧力を圧力センサ１２５からの値に基づいて検知し、初期加圧が完了したことを検知すると、エアポンプ駆動回路１２３に対して停止命令を送出する。なお、初期加圧の目標値は、たとえば、１００ｍｍＨｇ程度、またはフラッシュメモリ１２９に保持されている過去の測定値の最高血圧値と最低血圧値との中間値が使用される。エアポンプ駆動回路１２３は、その停止命令に基づいてエアポンプ１２４の駆動を終了する。この場合、ＣＰＵ１２０は、上記の第１判定基準を適用する。
【００８２】
ステップＳ４２６にて、ＣＰＵ１２０は、荷重検知シート１０４からの出力に基づいて測定用カフ１０６における荷重分布を検出する。
【００８３】
ステップＳ４３０にて、ＣＰＵ１２０は、測定用カフ１０６の巻き付け状態を判定する。より詳しくは、ＣＰＵ１２０は、上記の第２判定基準から第６判定基準を用いて、巻き付け状態を判定する。ＣＰＵ１２０は、測定用カフ１０６がぴったり巻きであると判定すると（ステップＳ４３０にてＯＫ）、制御をステップＳ４５０に切り換える。そうでない場合には（ステップＳ４３０にてＮＧ）、ＣＰＵ１２０は、制御をステップＳ４４０に切り換える。
【００８４】
ステップＳ４４０にて、ＣＰＵ１２０は、測定用カフ１０６が腕２００に対して正しく巻かれていないことを測定者に通知する。たとえば、ＣＰＵ１２０は、本体モニタ１４０に対して測定用カフ１０６の巻き付け状態の判定結果を表示させる。あるいは、ＣＰＵ１２０は、音声出力命令をスピーカ１３２に送出する。スピーカ１３２は、予め準備された音声（たとえば測定用カフ１０６が正しく巻かれていないことを示す音声）を発する。
【００８５】
なお、測定者が、測定用カフ１０６の巻き付け状態が正常であることを確認して、その旨を操作スイッチ１３１に入力した場合には、ＣＰＵ１２０は、制御を、ＯＫモード（ステップＳ４２２以降）に切り換えてもよい。
【００８６】
ステップＳ４４２にて、ＣＰＵ１２０は、測定のための圧迫力が測定用カフ１０６に印加されている場合には、排気弁駆動回路１２１に対して開放命令を送出する。排気弁駆動回路１２１は、その命令に基づいて排気弁１２２を開放する。
【００８７】
ステップＳ４４４にて、測定者は、測定用カフ１０６の固定部（たとえば面ファスナなど）を外す。
【００８８】
ステップＳ４４６にて、ＣＰＵ１２０は、測定用カフ１０６が取り外されたことに基づく圧迫力の低下を検知し、ＲＡＭ１３０に書き込まれているデータを削除する。
【００８９】
ステップＳ４５０にて、ＣＰＵ１２０は、血圧、脈波を測定する。なお、血圧、あるいは脈波の測定は、周知の技術によって実現される。したがって、それらの説明は繰り返さない。
【００９０】
ステップＳ４５２にて、ＣＰＵ１２０は、血圧あるいは脈波の測定を完了する。
ステップＳ４５４にて、ＣＰＵ１２０は、排気弁駆動回路１２１に対して開放命令を送出する。排気弁駆動回路１２１は、その開放命令に応答して、排気弁１２２を開放する。
【００９１】
ステップＳ４５６にて、ＣＰＵ１２０は、測定が終了したことおよび結果を本体モニタ１４０に表示する。表示される結果は、血圧値、脈数、脈波形、測定日時などを含む。
【００９２】
［データ構造］
図５を参照して、血圧情報測定装置１００のデータ構造について説明する。図５は、ＲＡＭ１３０におけるデータの格納の一態様を概念的に表わす図である。ＲＡＭ１３０は、ＣＰＵ１２０によって生成されたデータとして、測定用カフ１０６の巻き付け状態の検知結果と、各測定領域において検知された荷重とを格納している。
【００９３】
たとえば、ＲＡＭ１３０は、巻き付け検知結果が「ゆる巻き」であることを示すデータをメモリ領域５１０に格納している。荷重検知シート１０４において構成されている複数の領域（第１から第８の領域）の各々において検知された荷重は、それぞれメモリ領域５１１からメモリ領域５１８に格納されている。ここで、予め規定された標準の荷重が１５０ｍｍＨｇとした場合、それよりも下回る荷重が検知されると、測定用カフ１０６の巻き付け状態は「ゆる巻き」となる。たとえば、メモリ領域５１１からメモリ領域５１４に示されるように、各測定領域における荷重の検知結果は、たとえば５０ｍｍＨｇである。一方、メモリ領域５１５からメモリ領域５１８における荷重の検知結果は、標準値である１５０ｍｍＨｇである。このような検知結果の場合、ＣＰＵ１２０は、メモリ領域５１１から５１４に格納されているデータに基づいて測定用カフ１０６の巻き付け状態が「ゆる巻き」であると判定する。
【００９４】
［表示態様］
図６を参照して、本実施の形態に係る血圧情報測定装置１００における通知の態様について説明する。図６は、本体モニタ１４０におけるメッセージの表示態様を概念的に表わす図である。図６（Ａ）を参照して、ＣＰＵ１２０が測定用カフ１０６の巻き付け状態を判定している場合（ステップＳ４２０）、本体モニタ１４０は、そのことを示すメッセージを表示領域に示す。その判定結果が、測定用カフ１０６が正しく巻かれていないことを示している場合、本体モニタ１４０は、カフが正しく巻かれていないこと、測定用カフ１０６の巻き付け状態、測定用カフ１０６の巻き直しを促すメッセージを表示する（図６（Ｂ））。
【００９５】
一方、測定用カフ１０６の巻き付け状態が正しく巻かれていることが検知されると、本体モニタ１４０は、その旨を表わすメッセージと、測定を開始するメッセージとを表示する（図６（Ｃ）、ステップＳ４５０）。
【００９６】
（第１の局面の効果）
以上のようにして、本実施の形態の第１の局面に係る血圧情報測定装置１００は、測定用カフ１０６が「ぴったり巻き」の状態で血圧・脈波測定を開始するので、測定用カフ１０６の巻き付け状態の違いによる測定結果への影響（測定精度の低下）が排除され、精度および信頼性の高い測定が実現される。
【００９７】
これにより、測定用カフ１０６の巻き付け方による測定結果のばらつきが抑制され、測定精度が向上し得る。測定用カフ１０６の巻き付け不良が発生した場合には、血圧情報を測定中におけるエラー検知よりも先に、当該不良が検出できる。その結果、測定時間を短くすることができる。また、血圧・脈波の測定モードでは検出できないようなエラーを、測定の開始前に防ぐことができるため、測定の信頼性が向上し得る。
【００９８】
（第２の局面の効果）
第２の局面に従う血圧情報測定装置１００は、測定用カフ１０６の膨張前に、測定用カフ１０６の巻き付け不良を検出することができる。したがって、膨張後に巻き直す必要がなくなるため、測定時間が短くなる。
【００９９】
また、他の実施例として、測定用カフ１０６に代えて扇形カフが用いられている場合、しわの発生が大きくなり、フィットカフが用いられている場合にはカーラがテーパ形状となっており圧迫力に大きな差が発生する。そのため、第２の局面に従う血圧情報測定装置１００によると、測定用カフ１０６の上下の装着間違いが防止されるため、測定結果に大きな影響を与えるのを事前に防ぐことができる。結果として、測定の信頼性が向上し得る。
【０１００】
（第３の局面の効果）
第３の局面に従う血圧情報測定装置１００によると、細腕の測定時に発生しやすい測定用カフ１０６の腕長方向のしわ（曲げ）により測定に必要な範囲が十分に圧迫されていないことを検出することができる。
【０１０１】
＜第２の実施の形態＞
以下、本発明の第２の実施の形態について説明する。本実施の形態に係る血圧情報測定装置は、表示または音声によるガイド機能を有する点で第１の実施の形態に係る血圧情報測定装置１００と異なる。
【０１０２】
より詳しくは、第１の実施の形態における第２の局面あるいは第３の局面における測定用カフ１０６の巻き付け不良の検出結果（荷重分布）に基づき、測定用カフ１０６の巻き付け状態を修正するための方法、注意点等を、血圧情報測定装置１００の本体モニタ１４０に表示する機能、又は、スピーカ１３２からガイド（案内）するための音声を出力する機能を含む。
【０１０３】
また、巻き付け状態の検知結果および荷重分布を保持することで、同一測定シーケンス中での測定用カフ１０６の巻き付け状態の修正（再巻き付け）結果と、保持しておいた検知結果および荷重分布とを比較し、改善した点、又は、悪化した点を、本体モニタ１４０又はスピーカ１３１によって測定者に通知する。
【０１０４】
音声ガイドの一例は、以下のとおりである。「カフの裏側にしわが発生しています。腕にそって腕帯を巻き直して下さい。」「カフのひじ側の部分がめくれています。一度カフを緩めて、めくれを直してから巻き直して下さい。」
なお、本実施の形態に係る血圧情報測定装置は、第１の実施の形態に係る血圧情報測定装置１００が有するハードウェアと同様のハードウェアを用いて実現される。したがって、ハードウェア構成の説明は繰り返さない。本実施の形態に係る血圧情報測定装置は、ＣＰＵ１２０によって実現される処理が図４に示される処理に対して追加されている。
【０１０５】
また、本実施の形態の他の局面において、ＣＰＵ１２０は、測定用カフ１０６の巻き付け状態が不良であるときの巻き付け状態と、血圧情報測定装置１００による測定のための同一の処理シーケンス中における測定用カフ１０６の巻き直し後の状態とを比較してもよい。
【０１０６】
［制御構造］
図７を参照して、本発明の第２の実施の形態に係る血圧情報測定装置１００の制御構造について説明する。図７は、本発明の第２の実施の形態に係る血圧情報測定装置１００と測定者とが実行する動作の流れを表わすフローチャートである。なお、第１の実施の形態における処理と同様の処理には同一のステップ番号を付してある。したがって、そのような処理の説明は繰り返さない。
【０１０７】
ステップＳ７４０にて、ＣＰＵ１２０は、測定用カフ１０６の巻き付けガイドを通知する。たとえば、ＣＰＵ１２０は、巻き付け状態を表わす表示と、測定用カフ１０６の巻き直しを促すメッセージ、測定用カフ１０６の巻き方を表わす画像などを本体モニタ１４０に表示させる。あるいは、ＣＰＵ１２０は、それらの表示に代えて、測定用カフ１０６を正しく巻くために必要な動作を音声としてスピーカ１３２に出力させる。
【０１０８】
ステップＳ７５０にて、ＣＰＵ１２０は、測定用カフ１０６の巻き直しが測定のための同一シーケンスの間に行なわれている場合には、前回から変化した点を通知する。ここで、前回から変化した点とは、荷重検知シート１０４によって検知される荷重の変化が検知された測定領域をいう。ＣＰＵ１２０は、その変化を示すメッセージ、画像あるいは測定領域の部位を示す表示を本体モニタ１４０に表示させる。他の局面において、ＣＰＵ１２０は、その結果を音声としてスピーカ１３２に出力させる。
【０１０９】
以上のようにして、本発明の第２の実施の形態に係る血圧情報測定装置１００によると、測定用カフ１０６の巻き直し前後の巻き付け状態および荷重分布の比較により、次回の測定における測定用カフ１０６の巻き付けの参考となる結果が得られる。これにより、測定用カフ１０６の正確な巻き付けを測定者に定着させることができる。
【０１１０】
＜第３の実施の形態＞
以下、本発明の第３の実施の形態について説明する。本実施の形態に係る血圧情報測定装置は、測定者の腕周を算出する機能、および測定者を推定する機能を有する点で、前述の各実施の形態に係る血圧情報測定装置と異なる。
【０１１１】
より詳しくは、本実施の形態に係る血圧情報測定装置は、荷重検知シートにより検知した荷重の分布状態から、測定者の腕周およびその変化を検知して検知結果を保持する機能と、測定開始時に選択された測定者と、推定した測定者とを比較することにより、測定者の選択の誤りを検出する機能とを有する。なお、測定者は、たとえば、本体１１０に設けられる「測定者選択ボタン」（図示しない）の押下によって選択される。この場合、測定者毎に過去の腕周の記録が保持されている。
【０１１２】
また、本実施の形態に係る血圧情報測定装置は、事前に登録されたユーザグループについて、腕周、荷重等の分布状態から測定者を推定する機能を有する。なお、測定者は、たとえば、体組成の違いによる初期巻き付け時の荷重分布の相違に基づいて推定される。この場合、血圧情報測定装置は、事前に登録されたグループのメンバーに含まれない測定者を検出すると、「ゲストモード」として、当該検出した測定者についての計測を実行する。
【０１１３】
なお、本実施の形態に係る血圧情報測定装置は、第１の実施の形態に係る血圧情報測定装置１００のハードウェア構成と同様のハードウェア構成を用いて実現される。したがって、ハードウェア構成の説明は繰り返さない。本実施の形態に係る血圧情報測定装置は、ＣＰＵ１２０に対して当該固有の処理を実行させることにより実現される。
【０１１４】
［制御構造］
図８を参照して、本実施の形態に係る血圧情報測定装置を用いた測定処理について説明する。図８は、当該測定者と、本実施の形態に係る血圧情報測定装置とが実行する処理を表わすフローチャートである。なお、前述の処理と同一の処理には同一のステップ番号を付してある。したがって、それらの説明は繰り返さない。
【０１１５】
ステップＳ８１０にて、ＣＰＵ１２０は、荷重検知シート１０４からの出力に基づいて腕２００の腕周を推定する。より詳しくは、ＣＰＵ１２０は、一定の荷重が検出された領域を特定し、各測定領域の長さを周方向に積算することにより、腕２００の腕周を推定する。ＣＰＵ１２０は、その推定結果をＲＡＭ１３０に格納する。ここで、たとえば測定者が自己の名前、ＩＤ（Identification）などを操作スイッチ１３１を操作して入力すると、ＣＰＵ１２０は、その入力された識別情報と推定した腕周とを関連付けてフラッシュメモリ１２９に格納する。これにより、測定者ごとに推定された腕周がフラッシュメモリ１２９に保持される。
【０１１６】
ステップＳ４２０にて、ＣＰＵ１２０は、測定用カフ１０６の巻き付け状態を判定する。ＣＰＵ１２０は、測定用カフ１０６が「ぴったり巻き」であると判定すると（ステップＳ４２０にてＯＫ）、制御をステップＳ８２０に切り換える。そうでない場合には（ステップＳ４２０にてＮＧ）、ＣＰＵ１２０は、制御をステップＳ８３０に切り換える。
【０１１７】
ステップＳ８２０にて、ＣＰＵ１２０は、荷重検知シート１０４によって検知された圧力の各値をフラッシュメモリ１２９に格納する。
【０１１８】
ステップＳ８３０にて、ＣＰＵ１２０は、測定者に測定用カフ１０６の巻き付け状態の結果、推定した腕周などを通知する。たとえばＣＰＵ１２０は、腕周の長さ、測定用カフ１０６の巻き付け状態などを本体モニタ１４０に表示させる。あるいは、ＣＰＵ１２０は、スピーカ１３２に対してそれらの情報を音声として出力させてもよい。
【０１１９】
ステップＳ４３０にて、ＣＰＵ１２０は、測定用カフ１０６の巻き付け状態を判定する。ＣＰＵ１２０は、測定用カフ１０６が「ぴったり巻き」であると判定すると（ステップＳ４３０にてＯＫ）、制御をステップＳ８４０に切り換える。そうでない場合には（ステップＳ４３０にてＮＧ）、ＣＰＵ１２０は、制御をステップＳ８３０に切り換える。
【０１２０】
ステップＳ８４０にて、ＣＰＵ１２０は、荷重検知シート１０４によって検知された各圧力値をフラッシュメモリ１２９に記録する。ここで、ＣＰＵ１２０は、測定者ごとに、圧力値をフラッシュメモリ１２９に格納する。そうすることにより、本実施の形態に係る血圧情報測定装置は、各測定者ごとに測定結果を保持することができる。
【０１２１】
ステップＳ８５０にて、ＣＰＵ１２０は、血圧、脈波の測定を終了する。
ステップＳ８５２にて、ＣＰＵ１２０は、測定結果を本体モニタ１４０に表示させる。
【０１２２】
ステップＳ８５４にて、ＣＰＵ１２０は、フラッシュメモリ１２９に格納されている推定された腕周のデータと、測定用カフ１０６における荷重の分布データとに基づいて、測定者を推定する。
【０１２３】
ステップＳ８６０にて、ＣＰＵ１２０は、事前に選択されたボタンによって規定される測定者と、ステップＳ８５４において推定された測定者とが一致するか否かを判定する。ＣＰＵ１２０は、これらの測定者が一致していると判定すると（ステップＳ８６０にてＹＥＳ）、制御をステップＳ８６６に切り換える。そうでない場合には（ステップＳ８６０にてＮＯ）、ＣＰＵ１２０は、制御をステップＳ８６２に切り換える。
【０１２４】
ステップＳ８６２にて、ＣＰＵ１２０は、本体モニタ１４０に対して判定結果を表わす確認メッセージを表示させる。ここで、本体モニタ１４０は、推定された測定者と、選択の候補となり得る測定者とを表示する。あるいは、他の局面において、操作スイッチ１３１を介して新たな測定者の入力が受け付けられてもよい。
【０１２５】
ステップＳ８６４にて、ＣＰＵ１２０は、測定者が選択されたことを検知する。
ステップＳ８６６にて、ＣＰＵ１２０は、当該選択された測定者と推定された腕周データとを関連付けて、フラッシュメモリ１２９に結果を記録する。
【０１２６】
［データ構造］
図９を参照して、本実施の形態に係る血圧情報測定装置のデータ構造について説明する。図９は、フラッシュメモリ１２９におけるデータの格納の一態様を概念的に表わす図である。フラッシュメモリ１２９は、データを不揮発的に格納するための複数のメモリ領域を含む。測定者を識別するためのデータは、メモリ領域９１０に格納されている。各測定者について推定された腕周データは、メモリ領域９２０に格納されている。各測定者について最後に腕周が測定された日時は、メモリ領域９３０に格納されている。ＣＰＵ１２０は、各測定者について腕周を推定すると、その推定処理を行なった日時とともに図９に示されるような関連付けを行なった上でフラッシュメモリ１２９に各データを書き込む。なお、各測定者について書き込まれるデータは、１組に限られず、時系列的に累積的にデータが書き込まれてもよい。この場合、ＣＰＵ１２０は、測定者について腕周の長さの変化を知ることができるため、当該測定者の体形の変化も検知することができる。
【０１２７】
［腕周の推定］
図１０を参照して、測定者の腕周の推定について説明する。図１０は、荷重検知シート１０４において検知された領域を概念的に表わす図である。荷重検知シート１０４において、一定値以上の圧迫力が検知される領域１０１０と、そのような圧迫力が検知されない領域１０２０とが存在する。そこで、領域１０１０の腕周方向の長さ１０３０を当該測定者の腕周として推定することができる。この場合、荷重を検知する測定領域は腕周方向に５ｍｍ程度ごとに連続的に配置することが望ましい。
【０１２８】
［データ構造］
図１１を参照して、本実施の形態に係る血圧情報測定装置の他の局面におけるデータ構造について説明する。図１１は、他の局面に従うフラッシュメモリ１２９におけるデータの格納の一態様を概念的に表わす図である。フラッシュメモリ１２９は、当該血圧情報測定装置の使用者として予め特定された使用者について計測された腕周データとそのデータが最初に保存（登録）された日時とを格納している。すなわち、測定者を識別するためのデータは、メモリ領域１１１０に格納されている。当該測定者について測定された腕周データは、メモリ領域１１２０に格納されている。当該測定者と腕周データとが登録された日時は、メモリ領域１１３０に格納されている。この局面に従う血圧情報測定装置のＣＰＵ１２０は、このようなデータを、その後同一の測定者についての推定した腕周データ（たとえば、図９）と比較することにより、当該測定者の腕周の変化を検知することができる。また、同一の測定者が血圧情報測定装置を使用しているか否かをＣＰＵ１２０は判断できるため、新たな測定者による使用が登録された測定者による使用であるとの誤判断も防止され得る。
【０１２９】
［表示態様］
図１２を参照して、本実施の形態に係る血圧情報測定装置における通知態様について説明する。図１２は、本実施の形態に係る血圧情報測定装置の本体モニタ１４０における画面の表示態様を表わす図である。
【０１３０】
ＣＰＵ１２０が測定者を推定している場合（ステップＳ８５４）、本体モニタ１４０は、その旨を示すメッセージを表示する（図１２（Ａ））。ＣＰＵ１２０は、測定者の判断処理を終了すると、その判断結果を表わすメッセージとその後の処理を促すメッセージとを本体モニタ１４０に表示させる（図１２（Ｂ））。
【０１３１】
血圧情報測定装置の使用者（測定者）がスタートボタンを押すと、（ステップＳ８６０にてＹＥＳ）、ＣＰＵ１２０は、フラッシュメモリ１２９に格納されている当該測定者について既に登録されている腕周データを読み出し、その読み出したデータを本体モニタ１４０に表示させる。さらに、ＣＰＵ１２０は、その後測定処理を開始する旨のメッセージを本体モニタ１４０に表示させる（図１２（Ｃ））。
【０１３２】
以上のようにして、本実施の形態に係る血圧情報測定装置によると、測定者ごとに蓄積される測定結果について、測定者を選択するための操作を当該測定者が実行する必要がなくなるため、測定を容易に開始することができる。また、装置の操作に不慣れな測定者も簡単に当該血圧情報測定装置を使用することができる。
【０１３３】
さらに、測定者の選択誤り、選択忘れに対して、血圧情報測定装置は、測定者に確認することができるため、他の測定者のデータと混同して測定結果を保存することがなくなるため、蓄積される測定結果等についてデータの信頼性が高くなる。
【０１３４】
＜第４の実施の形態＞
以下、本発明の第４の実施の形態について説明する。本実施の形態に係る血圧情報測定装置は、測定者の体動を検知した場合に測定終了後に測定結果と共にその旨を本体モニタ１４０またはスピーカ１３によって測定者に通知する機能を有する点で、前述の各実施の形態に係る血圧情報測定装置と異なる。
【０１３５】
具体的には、血圧情報測定装置は、血圧・脈波の測定中、荷重検知シートで検知した荷重の変動より、測定者の体動を検知する機能と、装置の本体モニタ１４０に検知結果を表示する機能とを有する。
【０１３６】
なお、本実施の形態に係る血圧情報測定装置は、第１の実施の形態に係る血圧情報測定装置１００が備えるハードウェアと同様のハードウェアを用いて実現される。したがって、ハードウェア構成の説明は繰り返さない。本実施の形態に係る血圧情報測定装置は、当該固有な処理をＣＰＵ１２０に実行させることにより実現される。
【０１３７】
本実施の形態に係る血圧情報測定装置を実現するＣＰＵ１２０は、荷重検知シート１０４から送られる荷重の時系列変化に基づいて、生体の体動を検知する。ここで、生体の体動とは、測定用カフ１０６が装着された生体の動作をいい、特に、生体情報を検出するために不要な動作をいう。
【０１３８】
［制御構造］
図１３を参照して、本実施の形態に係る血圧情報測定装置を用いた測定処理について説明する。図１３は、当該血圧情報測定装置と測定者とが実行する処理の流れを表わすフローチャートである。
【０１３９】
ステップＳ４３０にて、ＣＰＵ１２０は、測定用カフ１０６の巻き付け状態を判定する。ＣＰＵ１２０は、測定用カフ１０６が「ぴったり巻き」であると判定すると（ステップＳ４３０にてＯＫ）、制御をステップＳ１３１０に切り換える。そうでない場合には（ステップＳ４３０にてＮＧ）、ＣＰＵ１２０は、制御をステップＳ４４０に切り換える。
【０１４０】
ステップＳ１３１０にて、ＣＰＵ１２０は、血圧、または脈波を測定している間、荷重検知シート１０４によって検出される荷重を継続して検出する。ＣＰＵ１２０は、その継続して検出した荷重に基づいて、測定用カフ１０６における測定領域の荷重の変化の有無を判定する。
【０１４１】
ステップＳ１３２０にて、ＣＰＵ１２０は、その荷重の変化を検知すると、測定者の体動があったことを、本体モニタ１４０に表示させる。
【０１４２】
以上のようにして、本実施の形態に係る血圧情報測定装置によると、体動検知時において測定者に体動を通知することにより再測定を促すことで、正確なデータの蓄積につなげることができる。また、体動のあったときに計測されたデータについては、血圧情報測定装置は、測定値と共にそのデータを記憶する。あるいは、ＣＰＵ１２０は、体動のあったことを表わすフラグを当該データに関連付ける。このようにすると、体動があったたきに計測されたデータと、体動がない時に正しい測定によって得られたデータとを混同して測定結果を保存することがなくなり、正確に区別することができる。したがって、蓄積される測定結果等についてデータの信頼性が高くなる。
【０１４３】
＜第５の実施の形態＞
以下、本発明の第５の実施の形態について説明する。本実施の形態に係る血圧情報測定装置は、腕帯に測定用カフ１０６の圧迫力の状態を通知する機能を持たせている点で、前述の各実施の形態に係る血圧情報測定装置と異なる。
【０１４４】
具体的には、血圧情報測定装置は、測定用カフ１０６が「ぴったり巻き」となっていない場所および過圧迫・圧迫不足の状態を、測定用カフ１０６の外面に配置された表示部あるいは点灯部（たとえば、ＬＥＤ等）により測定者に知らせることで、巻き付け不良箇所を視覚的に通知することができる。
【０１４５】
［ハードウェア構成］
図１４を参照して、本実施の形態に係る血圧情報測定装置１４００の構成について説明する。図１４は、血圧情報測定装置１４００のハードウェア構成を表わすブロック図である。血圧情報測定装置１４００は、腕帯１４１０と、本体１１０とを備える。腕帯１４１０は、荷重検知シート１０４と、測定用カフ１０６と、ＬＥＤ１４２０とを備える。ＬＥＤ１４２０は、測定用カフ１０６の複数の測定領域の各々にそれぞれ配置されている。
【０１４６】
さらに、血圧情報測定装置１４００を実現するＣＰＵ１２０は、表示制御部１５８として、ＬＥＤ１４２０を発光させる。たとえば、ＣＰＵ１２０は、特定のＬＥＤ１４２０のみを発光させ、他のＬＥＤ１４２０を発光させない。あるいは、ＣＰＵ１２０は、特定のＬＥＤ１４２０を特定の色（たとえば緑色）で発光させ、他のＬＥＤ１４２０を他の特定の色（たとえば赤色）で発光させる。このような色分けにより、測定用カフ１０６の特定の領域における加圧が正常であるか否かが通知される。
【０１４７】
そこで、図１５を参照して、本実施の形態に係る腕帯１４１０の構成についてさらに説明する。図１５（Ａ）は、腕帯１４１０を測定者の腕２００に巻き付けた状態を表わす図である。図１５（Ｂ）は、腕帯１４１０における複数のＬＥＤの配置を表わす図である。
【０１４８】
腕帯１４１０には、たとえば８ヶ所にＬＥＤが配置されている。そのうち、６つのＬＥＤ１４２０ａ，１４２０ｂ，１４２０ｃ，１４２０ｅ，１４２０ｆ，１４２０ｇは、腕２００の肩側と肘側とにそれぞれ配置されている。
【０１４９】
さらに、腕２００の反対側には、ＬＥＤ１４２０ｂ，１４２０ｅに対応する位置に２つのＬＥＤ１４２０ｄ，１４２０ｈが配置されている。ＬＥＤ１４２０ａ〜ＬＥＤ１４２０ｈを総称するときは、ＬＥＤ１４２０と表わす。
【０１５０】
図１５（Ａ）に示されるような位置関係に対応して、各ＬＥＤは配置されている。なお、腕帯１４１０の表面に配置されるＬＥＤの数は、図１５によって特定される数に限られない。さらに多くのＬＥＤが配置されてもよいし、少ないＬＥＤが配置されてもよい。また、腕帯１４１０に配置される表示手段は、ＬＥＤに限られない。たとえば有機ＥＬその他の表示装置が装着されてもよい。
【０１５１】
［制御構造］
図１６を参照して、本実施の形態に係る血圧情報測定装置１４００の測定処理について説明する。図１６は、血圧情報測定装置１４００と測定者とが実行する処理の流れを表わすフローチャートである。なお、前述の各実施の形態における処理と同一の処理には同一のステップ番号を付してある。したがってそれらの説明は繰返さない。
【０１５２】
ステップＳ４２０にて、ＣＰＵ１２０は、測定用カフ１０６の巻き付け状態を判定する。ＣＰＵ１２０は、測定用カフ１０６が「ぴったり巻き」であると判定すると（ステップＳ４２０にてＯＫ）、制御をステップＳ４２２に切り換える。そうでない場合には（ステップＳ４２０にＮＧ）、ＣＰＵ１２０は、制御をステップＳ１６１０に切り換える。
【０１５３】
ステップＳ１６１０にて、ＣＰＵ１２０は、ＬＥＤ１４２０に対して信号を送出し、当該ＬＥＤを発光させる。たとえば、測定用カフ１０６の巻き付け状態が不良である場合には、ＣＰＵ１２０は、赤色のＬＥＤを発光させる。あるいは、一部の領域が巻き付け不良である場合には、ＣＰＵ１２０は、当該領域に含まれるＬＥＤのみを赤く発光させ、他の領域に含まれるＬＥＤを緑色に発光させてもよい。
【０１５４】
以上のようにして、本実施の形態に係る血圧情報測定装置１４００によると、該当場所と荷重分布の状態とを測定用カフ１０６上に表示する。また、血圧情報測定装置１４００は、測定用カフ１０６を正しく巻くための具体的対策（巻き直しガイド）を各ＬＥＤ１４２０ａ〜１４２０ｈの各々の発光態様を切り換えて分割して表示することにより、分かり易い対策を測定者に通知する。これにより、測定者は、測定用カフ１０６の巻き付け状態の現状と、対策とを直感的・視覚的に把握することができるため、利便性が向上し得る。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５６】
【図１】本発明の第１の実施の形態に係る血圧情報測定装置１００のハードウェア構成の概略を表わすブロック図である。
【図２】本発明の第１の実施の形態に係る測定用カフ１０６の構成の概略を表わす図である。
【図３】複数の測定領域を有する測定用カフ１０６の構成を概念的に表わす図である。
【図４】血圧情報測定装置１００によって行なわれる動作と、血圧を測定するために測定者によって行なわれる動作とを表わすフローチャートである。
【図５】血圧情報測定装置１００が備えるＲＡＭ１３０におけるデータの格納の一態様を概念的に表わす図である。
【図６】血圧情報測定装置１００が備える本体モニタ１４０におけるメッセージの表示態様を概念的に表わす図である。
【図７】本発明の第２の実施の形態に係る血圧情報測定装置１００と測定者とが実行する動作の流れを表わすフローチャートである。
【図８】本発明の第３の実施の形態に係る血圧情報測定装置と測定者とが実行する処理を表わすフローチャートである。
【図９】本発明の第３の実施の形態に係る血圧情報測定装置のフラッシュメモリ１２９におけるデータの格納の一態様を概念的に表わす図である。
【図１０】本発明の第３の実施の形態に係る血圧情報測定装置が備える荷重検知シート１０４において検知された領域を概念的に表わす図である。
【図１１】本発明の第３の実施の形態に係る血圧情報測定装置の他の局面に従うフラッシュメモリ１２９におけるデータの格納の一態様を概念的に表わす図である。
【図１２】本発明の第３の実施の形態に係る血圧情報測定装置の本体モニタ１４０における画面の表示態様を表わす図である。
【図１３】本発明の第４の実施の形態に係る血圧情報測定装置と測定者とが実行する処理の流れを表わすフローチャートである。
【図１４】本発明の第５の実施の形態に係る血圧情報測定装置１４００のハードウェア構成を表わすブロック図である。
【図１５】本発明の第５の実施の形態に係る腕帯１４１０を測定者の腕２００に巻き付けた状態と腕帯１４１０における複数のＬＥＤの配置とを表わす図である。
【図１６】本発明の第５の実施の形態に係る血圧情報測定装置１４００と測定者とが実行する処理の流れを表わすフローチャートである。
【符号の説明】
【０１５７】
１００，１４００  血圧情報測定装置、１０２，１４１０  腕帯、１０４  荷重検知シート、１０６  測定用カフ、１１０  本体、２００  腕、３１０〜３８０  測定領域、５１０〜５１８，９１０〜９３０，１１１０〜１１３０  メモリ領域、１０１０，１０２０  領域、１０３０  長さ。
【図１】
2009297161.tif 000003
【図２】
2009297161.tif 000004
【図３】
2009297161.tif 000005
【図４】
2009297161.tif 000006
【図５】
2009297161.tif 000007
【図６】
2009297161.tif 000008
【図７】
2009297161.tif 000009
【図８】
2009297161.tif 000010
【図９】
2009297161.tif 000011
【図１０】
2009297161.tif 000012
【図１１】
2009297161.tif 000013
【図１２】
2009297161.tif 000014
【図１３】
2009297161.tif 000015
【図１４】
2009297161.tif 000016
【図１５】
2009297161.tif 000017
【図１６】
2009297161.tif 000018